(57)【要約】【課題】ワニクリップリムーバーを提供する。【解決手段】本発明のワニクリップリムーバーは、底座、上座、蓋体からなる。底座内に容室を設置し、底座の前半部両側にノッチを有する。両ノッチの中間は弾性部を形成し、底座の前方頂面は斜切面を設置する。底座の斜切面内端は停止壁を設置する。上座は底座上方に設置され、上座の前半部両側はノッチを有し、両ノッチの中間に弾性部を形成し、上座の前方底面に斜切面を設置する。上座の後端部は枢接座を設置し、上座の斜切面内端は停止壁を設置する。蓋体は底座上方に設置され、また、上座の後方に枢接される。蓋体の前端部は、上座に枢接する凸耳部を凸設する。これにより、ワニ玉は文献から取り外しやすく、また、取り外したワニ玉を収納することができ、使用が便利である。【選択図】図２
2010076445.tif 000002
【特許請求の範囲】
【請求項１】
ワニクリップリムーバーであって、
内に容室を設置し、前半部両側にノッチを有し、前記の両ノッチの中間は弾性部を形成し、前方頂面は斜切面を設置し、斜切面内端は停止壁を設置する底座と、
前記底座上方に設置され、前半部両側はノッチを有し、前記の両ノッチの中間に弾性部を形成し、前方底面に斜切面を設置し、後端部は枢接座を設置し、斜切面内端は停止壁を設置する上座と、
前記底座上方に設置され、また、前記上座の後方に枢接され、前端部は、前記上座に枢接する凸耳部を凸設する蓋体と、
からなることを特徴とするワニクリップリムーバー。
【請求項２】
前記底座の容室内壁面に複数の凸座を設置し、前記凸座は凹孔を設置し、前記上座の内壁面に複数の定位凸柱を設置し、前記定位凸柱は前記底座の凹孔内に挿入され、前記底座の斜切面内に複数の凹槽を設置し、前記底座の後半部頂縁は凸縁を設置し、前記凸縁上に嵌槽を設置し、前記蓋体の内壁面に、前記嵌槽内に嵌設される嵌体を凸設することを特徴とする請求項１に記載のワニクリップリムーバー。  
【請求項３】
前記上座の枢設座内にノッチを有し、前記ノッチの相対する内壁面にそれぞれ凹孔を設置し、前記上座の弾性部外壁面上に凹面を有し、前記蓋体の凸耳二側は凸柱を設置し、前記凸耳の二側、及び、中間部位にノッチを有し、また、前記蓋体両側に、それぞれ、凹面を有することを特徴とする請求項１に記載のワニクリップリムーバー。
【発明の詳細な説明】
【技術分野】
【０００１】
本発明は、ワニクリップリムーバーに関するものであって、特に、取り外しやすいワニクリップリムーバーに関するものである。
【背景技術】
【０００２】
一般のワニクリップは、図１で示されるように、綴じ器によりワニ玉１０を文献１１上に挟着する。一般の綴じ器は、ワニ玉１０を文献１１上に挟着させるだけであり、取り外す機能はない。よって、ワニ玉１０を抜き取りたいとき、多くが指か器具（尺、はさみ、ペン等）で、直接、ワニ玉１０を文献１１から抜きとる。しかし、器具を利用してワニ玉１０を抜き取る場合、抜く時に、文献１１を傷つけたり、破ったりする恐れがある。また、ワニ玉１０は不使用時に、遺失しやすいので、何かの容器に収納する必要があり、不便である。
【発明の概要】
【発明が解決しようとする課題】
【０００３】
本発明は、文献から取り外しやすく、ワニ玉を収納できるワニクリップリムーバーを提供することを目的とする。
【課題を解決するための手段】
【０００４】
本発明のワニクリップリムーバーは、底座、上座、蓋体からなる。底座内に容室を設置し、底座の前半部両側にノッチを有する。両ノッチの中間は弾性部を形成し、底座の前方頂面は斜切面を設置する。底座の斜切面内端は停止壁を設置する。上座は底座上方に設置され、上座の前半部両側はノッチを有し、両ノッチの中間に弾性部を形成し、上座の前方底面に斜切面を設置する。上座の後端部は枢接座を設置し、上座の斜切面内端は停止壁を設置する。蓋体は底座上方に設置され、また、上座の後方に枢接される。蓋体の前端部は、上座に枢接する凸耳部を凸設する。
【発明の効果】
【０００５】
本発明のワニクリップは、ワニ玉の取り外しが容易で、また、取り外したワニ玉を収納することができ、使用上便利である。
【図面の簡単な説明】
【０００６】
【図１】ワニ玉が文献を挟持する状態図である。
【図２】本発明の実施例の立体分解図である。
【図３】本発明の実施例の立体組み合わせ図である。
【図４】本発明の実施例の蓋体を開いた状態図である。
【図５】本発明の実施例による組み合わせ断面図である。
【図６】本発明の実施例による文献を抜き取る状態図（１）である。
【図７】本発明の実施例による文献を抜き取る状態図（２）である。
【実施例】
【０００７】
本発明の実施例は、図２、図３で示され、主に、底座２、上座３、蓋体４、からなる。
底座２は、内に容室２０を設置する。底座２の前半部両側はL字形のノッチ２１を設置する。両ノッチ２１の中間に弾性部２２を形成し、底座２の前方頂面に斜切面２３を形成する。斜切面２３内に、複数の凹槽２４を設置し、容室２０の内壁面に、複数の凸座２５を設置し、凸座２５上に凹孔２６を設置する。底座２の後半部頂縁に凸縁２７を設置し、凸縁２７上に嵌槽２８を設置する。底座２の斜切面２３内端に停止壁２９を設置する。
上座３は、底座２の上方に設置され、上座３の前半部両側はL字形ノッチ３０を有し、両ノッチ３０の中間に弾性部３１を形成し、上座３の前方底面に斜切面３２を設置する。斜切面３２内に複数の凹槽３３を設置し、上座３内壁面は下向けに、複数の定位凸柱３４を設置する。上座３の後端部は枢接座３５を設置し、枢軸座３５内にノッチ３６を設置し、ノッチ３６の相対する内壁にそれぞれ凹孔３７を設置する。弾性部３１の外壁面上に凹面３８を設置し、上座３の斜切面３２内端に、停止壁３９を設置する。
蓋体４は、底座２の上方に設置され、上座３の後方に枢接される。蓋体４の両側は凹面４０を有し、蓋体４の内壁面に嵌体４１を設置する。蓋体４の前端部は凸耳部４２を凸設する。凸耳４２の二側は凸柱４３を設置し、凸耳４２の二側、及び、中間部に、共に、ノッチ４４を設置する。
組み立て時、図２〜図４で示されるように、蓋体４の凸耳４２両側を中間に向けて押圧し、凸耳４２の両側を内縮させ、更に、凸耳４２を上座３の枢接座３５のノッチ３６内に設置して、凸耳４２両側の凸柱４３を枢接座３５の凹孔３７に対面させる。凸耳４２の両側が弾性を回復した後、両側の凸柱４３が凹孔３７内に嵌入し、蓋体４が上座３の後端に枢設され、上座３の定位凸柱３４は、底座２の凸座２５上の凹孔２６内に挿入され、上座３を底座２上の前半部に定位させ、上座３の斜切面３２が底座２の斜切面２３に対応する。両斜切面３２、２３間に、導入口Aを形成し、蓋体４は底座２の後半部に蓋設され、蓋体４内面の嵌体４１が、底座２の凸縁２７上の嵌槽２８内に嵌設され、蓋体４が底座２上に定位し、組み立てが完成する。
使用時、図５〜図７で示されるように、文献１１上のワニ玉１０を抜き取るとき、文献１１を挟持したワニ玉１０部位を導入口Aから挿入し、ワニ玉１０を導入口Aに挿入するとき、底座２と上座３の相対する斜切面２３、３２に沿って移動させると共に、底座２の弾性部２２を下向けに推し、上座３の弾性部３１を上向けに推して、底座２と上座３間の導入口Aを拡大し（図６で示される）、ワニ玉１０を継続して底座２と上座３内に推し入れ、ワニ玉１０の挟持端はそれぞれ、底座２と上座３内の停止壁２９、３９上で抵止し（図７で示される）、ワニ玉１０が導入口Aから脱落するのを阻止し、更に、文献１１を外に移動させ、文献１１を導入口Aから安定して抜き出すことができる。ワニ玉１０は、直接、底座２の容室２０内に落ちて保管することができる。ワニ玉１０は、文献１１を損傷することなく、また、抜き取るときに弾力で弾かれ、飛んだり、落ちたりすることがない。ワニ玉１０を抜く時、底座２の容室２０内に収納でき、ワニ玉１０で文献１１を挟持する時、指で、蓋体４両側の凹面４０を摘み（図４で示される）、蓋体４の嵌体４１を底座２の嵌槽２８から脱離させ、蓋体４を底座２から上に開けば、容室２０内のワニ玉１０を取り出して使用でき、抜き取りと収納が便利である効果を達成する。
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【０００８】
10 ワニ玉         
11 文献
2  底座
20 容室           
21 ノッチ         
22 弾性部
23 斜切面         
24 凹槽         
25 凸座
26 凹孔           
27 凸縁         
28 嵌槽
29 停止壁
3  上座
30 ノッチ           
31 弾性部       
32 斜切面
33 凹槽           
34 定位凸柱     
35 枢接座
36 ノッチ           
37 凹孔         
38 凹面
39 停止壁
4  蓋体 
40 凹面           
41 嵌体        
42 凸耳
43 凸柱           
44 ノッチ
A  導入口
【図１】
2010076445.tif 000003
【図２】
2010076445.tif 000004
【図３】
2010076445.tif 000005
【図４】
2010076445.tif 000006
【図５】
2010076445.tif 000007
【図６】
2010076445.tif 000008
【図７】
2010076445.tif 000009